(57)【要約】【課題】自毛に人毛又は人工毛からなる任意材質でできた毛束の幅広い装着方法を、確実に耐久性に優れた状態を簡単に行うことができ、かつ、利用者の髪や頭皮に与える負担を軽減することができるエクステンション方法を提供する。【解決手段】適量の自毛に取付け用毛束を装着するエクステンション方法において、自毛と取付け用毛束を装着するときに、その箇所を、加熱プレート２枚から成るストレートアイロンを使用し難易度の高い幅広い装着方法を容易にする。解決手段の例としては、適量の自毛と取付け用毛束を編み、又は結びつけたりした箇所に、加熱プレート２枚から成るストレートアイロンを用いてはさみ熱を与える、前記自毛と前記取付け用毛束にくせがつき仮固定されて外れにくい状態にして糸ゴム、毛髪用接着剤、熱収縮チューブなど固定するための素材を取付け箇所に装着し固定する。【特許請求の範囲】
【請求項１】
適量の自毛に取付け用毛束を取り付けるエクステンション方法において、前記自毛と前記取付け用毛束を取り付けるときに自毛と取付け用毛束の編み、又は、結びつけた箇所を、加熱プレート２枚から成るストレートアイロンではさみ加熱することにより、前記自毛と前記取付け用毛束にくせがつき、編み、又は結びつけた箇所が外れにくい状態に仮固定した後、前記自毛と前記取付け用毛束を固定するための素材である糸ゴム、毛髪用接着剤、熱収縮チューブなどを編み又は結びつけたりした取付け箇所に容易に装着することを特徴とするエクステンション方法。
【発明の詳細な説明】
【技術分野】
【０００１】  本発明は、自毛に人毛又は人工毛からなる取付け用毛束を取り付けるエクステンション方法に関し加熱プレート２枚から成るストレートアイロンを使用し、前記自毛と前記取付け用毛束を仮固定することにより、固定するための素材としての糸ゴム、毛髪用接着剤、熱収縮チューブなどを装着することを容易にした取付け方法に関する。
【背景技術】
【０００２】  従来から、美容、理容の分野において、自毛に人毛又は人工毛からなる取付け用毛束を装着して、髪の毛の長さを伸長したり又は髪の毛の量を増毛したりするエクステンションと称される技術が存在する。【０００３】  このようなエクステンション技術に関し、以下の（１）〜（３）に示すような従来方法が一般的に知られているが、いずれのエクステンション方法についても、作業者にとっては、相当の熟練が要求されるばかりでなく、作業に相当の手間がかかるなどの問題を有しており、一方利用者にとっては、髪や頭皮に大きな負担がかかるばかりでなく、結束強度が弱いことに起因して取付け用毛束が外れ易いなどの問題をも有している。
（１）「グルーガン・グルーボンドを使用する方法」に関する主たる問題点
ａ）取付け時及び取外時に髪に大きな負担がかかる
ｂ）シャンプー剤、頭髪化粧品などでグルーボンドは軟化しやすい性質のものが多く、毛先へ引っ張る力に時間が経つと大変弱くなり取付け用毛束が外れ易い
（２）「三つ編み又は四つ編みをした後、糸で縛る方法」に関する主たる問題点
ｃ）どちらかの手を三つ編み又は四つ編みをした箇所から離せない。
（３）「金属製又は硬質樹脂製のビーズ状チップをペンチで潰してとめる方法」に関する主たる問題点
ｄ）ペンチを使用するので接合部分において髪に大きな負担がかかる【０００４】  また、エクステンション技術に関し、以下に示す特許出願「熱収縮チューブを使用したエクステンション方法。」が存在する（特許文献１参照）。この方法は、取付け時間を短縮することができ、自毛に人毛又は人工毛からなる任意材質の取付け用毛束の取付けを簡単かつ迅速に行うことができ、さらに自毛と取付け用毛束との結束強度が強く、かつ、利用者の髪や頭皮に与える負担をも軽減することができる熱収縮チューブを使用したエクステンション方法である。【０００５】  上記先行文献に記載される発明によれば、確かに自毛束と毛髪用繊維束の両端側（合計４束）を編み合せる従来のエクステンション方法において内在していた問題（一人で取付けを行うことの困難性）を解決することは可能になるものと考えられる。
しかしながら、これらの方法については、にわか取付け時間は迅速ではあるが、取付け用毛束が非常に長い場合や太い場合は自毛束のループだけで、取付け用毛束を熱収縮チューブで固定するため時間が経つと強度的に不十分で取付け用毛束が抜け落ちることがあった。また常に自毛束を片手で持つため自毛束に負担がかかり利用者に苦痛が伴う。かつ、ある程度、髪の毛の長さを伸長したり又は髪の毛の量を増毛する目的には有効であるが、ファッション的に自毛束と毛髪用繊維束を頭頂部などに、三つ編み、四つ編みなどの自毛束と毛髪用繊維束を編んで装着する方法に関しては不向きであった、なおかつ、熱収縮チューブを、予め自毛束に通しておく必要があり、結び目を地肌から０．５〜２ｃｍ程度離れた位置に設定するため、日常生活において髪がもつれ易くなり、毛髪用繊維束が外れ易くなる。【０００６】
【特許文献１】  特開２００４−００３１０７号公報
【発明の開示】
【発明が解決しようとする課題】
【０００７】  そこで、本発明は、従来のエクステンション方法では解決できなかった作業者及び利用者の双方が有していた諸問題の解決を図ることを目的とし、具体的には、自毛に人毛又は人工毛からなる任意の材質の取付け用毛束装着を、自毛の根元から幅広い装着方法を簡単かつ確実に行うことができ、さらに自毛と取付け用毛束との結束強度が強く、利用者の髪や頭皮に与える負担をも軽減することができるエクステンション装着技法を提供することを目的とする。
【課題を解決するための手段】
【０００８】  前記課題を解決するために、請求項１に記載の発明は、適量の自毛に取付け用毛束を取り付けるエクステンション方法において、前記自毛と前記取付け用毛束を取り付けるときに本発明の特徴である加熱プレート２枚から成るストレートアイロンを使用し、自毛と取付け用毛束を編み、または結びつけたりした箇所を挟み加熱するとくせがつき、外れにくい状態に仮固定し、この状態で作業者の両手を開放して、幅広い作業をすることができることを特徴とする。
【発明の効果】
【０００９】  本発明にかかるエクステンション方法によれば、自毛と取付け用毛束を取り付けるときに、前記自毛と前記取付け用毛束とを装着した箇所を加熱プレート２枚から成るストレートアイロンで加熱し、くせをつけて仮固定するので、自毛の根元から難易度の高い幅広い装着方法ができる。また前記自毛と前記取付け用毛束を編んだり、結びつけたりした箇所から作業者の両手を開放することができるので、作業者が取付けに熟練していない場合でも、自毛と取付け用毛束とを固定するための素材である糸ゴム、毛髪用接着剤、熱収縮チューブなどを装着することが簡単かつ確実に行うことができる。
【発明を実施するための最良の形態】
【００１０】  以下、本発明の実施の一形態について、図面を参酌しながら説明する。以下に示す実施例では、エクステンション方法の中でも、もっとも外れ難いとされる、自毛と取付け用毛束を四つ編み方法で編みつけ、固定するための素材、糸ゴム、毛髪用接着剤、熱収縮チューブを装着して両者を括り付ける場合について詳しく説明する、しかし本発明にかかるエクステンション方法は、これに限定されるものではない。すなわち、自毛と取付け用毛束を装着するときに、自毛と取付け用毛束とを装着した箇所をストレートアイロンで挟み加熱して仮固定する工程を含むことが出来るエクステンション方法であれば、所期の目的を達成することができる。例えば、作業者が、かぎばり等を使って適量の自毛をループして取付け用毛束の中央部分を交差させて該自毛をループ状に結んで両者を括り付けた後、前記自毛と前記取付け用毛束の括り付けた箇所をストレートアイロンで挟み加熱して仮固定し、固定するための素材である糸ゴム、毛髪用接着剤、熱収縮チューブ等を装着するような場合であっても、本発明ではストレートアイロンで加熱し強力に括り付けをするため、従来のエクステンション方法と比較して有利な効果が認められる。【００１１】  図１は、本発明にかかるストレートアイロンを使用したエクステンション方法の例を示す工程図である。図１に示すように、本発明にかかるアイロンを使用したエクステンション方法の第１実施例は、適量の自毛を分けとりプロテクターに固定する工程（Ｓ１１）、取付け用毛束を三つ編み、四つ編み、結びつけ等をする工程（Ｓ１２）、三つ編み、四つ編み、結びつけ等した箇所をストレートアイロンで挟み加熱し、くせを付けて仮固定をする工程（Ｓ１３）自毛と取付け用毛束に糸ゴム、毛髪用接着剤、熱収縮チューブなどの素材を装着固定する工程（Ｓ１４）から構成される。【００１２】  以下、各ステップの実施手順及びそれに使用するストレートアイロンについて説明する。
本来ストレートアイロンと称するものは２枚の加熱ヒーターで毛髪束を挟み、毛髪束を直線にくせ付けする目的で使用するが、本発明にかかるエクステンション方法に使用するストレートアイロンは、自毛に取付け用毛束を四つ編み、三つ編み、結びつけ等した箇所を、加熱する目的で使用するため、ストレートアイロン本体は小型で加熱ヒーター部分はあまり幅広くなく先端が細くなっているものが望ましい。【００１３】  図２は、自毛と取付け用毛束を四つ編み方法で、固定するための素材、糸ゴム、毛髪用接着剤、熱収縮チューブを装着して両者を括り付ける場合について示す説明図である。
図２に示すように、１はプロテクター、２は自毛束、３は取付け用毛束、４は熱収縮チューブ、５は糸ゴム、６は鈎針（ニードル）、７は四つ編み箇所、８はストレートアイロン、９は毛髪用接着剤である。【００１４】作業者は、（ａ）、利用者の地肌から適量の自毛束２を分け取り１プロテクターを固定し前記自毛束２を二本に取り分け、取付け用毛束３を中央に置く、（ｂ）前記自毛束２と前記取付け用毛束３を、四つ編みにする、この時に四つ編みに限るものではなく、三つ編み、結びつけ等も有効である、（ｃ）、前記四つ編みした箇所をストレートアイロン８で挟み加熱する（ｄ）、加熱することにより前記自毛束２と前記取付け用毛束３にくせがつき四つ編み箇所が外れにくくなり仮固定される。この状態にすることで前記自毛束２と前記取付け用毛束３から両手を開放することが出来る。
以後の図は固定するための素材として糸ゴム、毛髪用接着剤、熱収縮チューブについて解説した図である、（ｅ）糸ゴムで装着する場合、四つ編み箇所７が外れにくくなり仮固定された状態なので容易に糸ゴム５を巻きつけ結びつけることが出来る、（ｆ）毛髪用接着剤で固定する場合四つ編み箇所がすでに外れにくくなり仮固定された状態なので毛髪用接着剤９でより強力に固定できる、（ｇ）熱収縮チューブの場合は、鈎針などで熱収縮チューブ４を自毛束２と取付け用毛束３に挿通してストレートアイロン８を使って加熱することにより熱収縮チューブ４を収縮させて固定する。
【図面の簡単な説明】
【００１５】
【図１】本発明にかかるエクステンション方法の工程図である。
【図２】本発明にかかるエクステンション方法の加工ステップを示す説明図で、（ａ）はプロテクターで固定させた状態を、（ｂ）は四つ編みにして自毛と毛束の両者を括り付ける状態を、（ｃ）はストレートアイロンで加熱する状態を、（ｄ）は四つ編み箇所が仮固定された状態を、（ｅ）は糸ゴムで固定する状態を、（ｆ）は毛髪用接着剤で固定する状態を、（ｇ）は熱収縮チューブで固定する状態を示す説明図である。
【符号の説明】
【００１６】１  プロテクター
２  自毛束
３  取付け用毛束
４  熱収縮チューブ
５  糸ゴム
６  鈎針（ニードル）
７  四つ編み箇所
８  ストレートアイロン
９  毛髪用接着剤
【図１】
2006077384.tif 000002
【図２】
2006077384.tif 000003